(57)【要約】【課題】画像データに文字列データを組み合わせる際の編集作業の負担を軽減できる編集画像データ作成装置及び編集画像データ作成方法を提供する。【解決手段】画像データに文字列データを組み合わせることにより編集画像データを作成する際に、画像データから付加情報を読み取り（ステップＳ１０２）、操作部による文字入力があれば（ステップＳ１０３でＹｅｓ）、画像データから読み取られた付加情報に対応する文字列データのうち、その入力された文字を含む文字列データを選択候補として表示画面に表示させる（ステップＳ１０４）。これにより、文字列データを一文字ずつ入力する作業と比較して、画像データに文字列データを組み合わせる際の編集作業の負担を軽減できる。【選択図】図４
2011203919.tif 000002
【特許請求の範囲】
【請求項１】
画像データに文字列データを組み合わせることにより編集画像データを作成することができる編集画像データ作成装置であって、
画像データに含まれ得る複数の付加情報に、それぞれ文字列データを対応付けて記憶している文字列データ記憶手段と、
画像データから前記付加情報を読み取る付加情報読取手段と、
読み取られた前記付加情報に対応する文字列データを前記文字列データ記憶手段から読み出して、表示画面に表示させる文字列データ表示手段と、
文字入力及び選択操作を含む入力操作を行うための操作手段とを備え、
前記文字列データ表示手段は、前記操作手段により文字が入力されたときに、前記付加情報読取手段により画像データから前記付加情報が読み取られている場合には、その付加情報に対応する文字列データのうち入力された文字を含む文字列データを前記文字列データ記憶手段から読み出して、前記操作手段による選択候補として前記表示画面に表示させることを特徴とする編集画像データ作成装置。
【請求項２】
前記付加情報読取手段が、
画像データに含まれる特徴情報を読み取る特徴情報読取手段と、
読み取られた特徴情報に基づいて画像データの種別を前記付加情報として特定する付加情報特定手段とを備えたことを特徴とする請求項１に記載の編集画像データ作成装置。
【請求項３】
前記付加情報には、画像データに付加された文字情報、位置情報及び時間情報の少なくとも１つが含まれることを特徴とする請求項１又は２に記載の編集画像データ作成装置。
【請求項４】
画像データに含まれ得る複数の付加情報に、それぞれ文字列データを対応付けて記憶している文字列データ記憶手段を用いて、画像データに文字列データを組み合わせることにより編集画像データを作成するための編集画像データ作成方法であって、
画像データから前記付加情報を読み取る付加情報読取ステップと、
読み取られた前記付加情報に対応する文字列データを前記文字列データ記憶手段から読み出して、表示画面に表示させる文字列データ表示ステップとを含み、
前記文字列データ表示ステップでは、文字入力及び選択操作を含む入力操作を行うための操作手段により文字が入力されたときに、前記付加情報読取ステップにより画像データから前記付加情報が読み取られている場合には、その付加情報に対応する文字列データのうち入力された文字を含む文字列データを前記文字列データ記憶手段から読み出して、前記操作手段による選択候補として前記表示画面に表示させることを特徴とする編集画像データ作成方法。
【発明の詳細な説明】
【技術分野】
【０００１】
本発明は、画像データに文字列データを組み合わせることにより編集画像データを作成することができる編集画像データ作成装置及び編集画像データ作成方法に関する。
【背景技術】
【０００２】
近年、写真プリントの技術分野においては、デジタルカメラを用いた撮影などにより得られる画像データを、単にそのままプリントするような従来のサービスだけでなく、当該画像データを編集してプリントするサービスが提供されるようになっている。このようなサービスの一例としては、画像データを所望のテンプレートと合成してプリントするサービスが知られている（例えば、特許文献１参照）。
【０００３】
上記のように画像データをテンプレートと合成してプリントするサービスにおいては、所望の文字列データも組み合わせてプリントすることができるようになっている場合がある。例えば、結婚式の際に撮影した画像データをテンプレートと合成してプリントする場合には、「結婚」、「結婚式」又は「結婚おめでとう」といった任意の文字列データを組み合わせてプリントすることが考えられる。このような画像データに文字列データを組み合わせるといった編集は、画像データをテンプレートと合成してプリントする場合に限らず、画像データ上に文字列データを合成する場合など、他のプリント態様においても利用可能である。
【０００４】
一方で、携帯電話機などの端末においては、電子メールのメール本文を作成する場合などに、入力された文字から始まる文字データ及び文字列データのうち、使用頻度の高い文字データ及び文字列データを選択候補として優先的に表示画面に表示させる技術が知られている。このような技術によれば、文字をいくつか入力するだけで、所望の文字データ及び文字列データを選択候補として表示画面に表示させることができるので、その選択候補を選択することにより、短時間で容易に文字入力を行うことができる。
【先行技術文献】
【特許文献】
【０００５】
【特許文献１】特開２００１−４５２６６号公報
【発明の概要】
【発明が解決しようとする課題】
【０００６】
写真プリントの注文を行う方法としては、画像データが記憶されているＳＤカードなどの記憶媒体をユーザが写真店に持参する方法と、ユーザの自宅などに設置されたユーザ端末からネットワークを介して画像データを送信する方法とが知られている。記憶媒体を写真店に持参して注文する方法では、ユーザが注文端末を操作することにより記憶媒体から画像データを読み取らせて、所定の操作を行うことにより注文を行うこととなる。
【０００７】
このようにユーザが注文端末を操作して注文を行う場合、上記のような画像データに文字列データを組み合わせるといった編集を注文端末にて行う際には、当該注文端末に備えられた操作部又はタッチパネル式の表示部などを用いて一文字ずつ入力作業を行う必要がある。そのため、写真店において長時間作業を行わなければならない場合があり、ユーザにとって編集作業が負担になるといった問題がある。
【０００８】
また、ユーザ端末からネットワークを介して画像データを送信する方法のように、ユーザが写真店以外の場所で予め編集作業を行うような場合であっても、その編集作業の負担を軽減できることが好ましい。
【０００９】
上述の携帯電話機などの端末において用いられているような技術を適用することも考えられるが、当該技術では使用頻度に基づいて選択候補が表示されるようになっているため、画像データとは全く関係のない選択候補まで表示されることとなり、かえって編集作業が煩雑になるおそれがある。特に、ユーザが注文端末を操作して注文を行う場合には、多数のユーザが注文端末を使用することになるので、使用頻度に基づいて選択候補が表示されるという技術を採用すること自体、困難である。
【００１０】
本発明は、上記実情に鑑みてなされたものであり、画像データに文字列データを組み合わせる際の編集作業の負担を軽減できる編集画像データ作成装置及び編集画像データ作成方法を提供することを目的とする。
【課題を解決するための手段】
【００１１】
本発明に係る編集画像データ作成装置は、画像データに文字列データを組み合わせることにより編集画像データを作成することができる編集画像データ作成装置であって、画像データに含まれ得る複数の付加情報に、それぞれ文字列データを対応付けて記憶している文字列データ記憶手段と、画像データから前記付加情報を読み取る付加情報読取手段と、読み取られた前記付加情報に対応する文字列データを前記文字列データ記憶手段から読み出して、表示画面に表示させる文字列データ表示手段と、文字入力及び選択操作を含む入力操作を行うための操作手段とを備え、前記文字列データ表示手段は、前記操作手段により文字が入力されたときに、前記付加情報読取手段により画像データから前記付加情報が読み取られている場合には、その付加情報に対応する文字列データのうち入力された文字を含む文字列データを前記文字列データ記憶手段から読み出して、前記操作手段による選択候補として前記表示画面に表示させることを特徴とする。
【００１２】
このような構成によれば、画像データに文字列データを組み合わせることにより編集画像データを作成する際に、画像データから付加情報を読み取り、その付加情報に対応する文字列データを表示画面に表示させることができる。これにより、文字列データを一文字ずつ入力する作業と比較して、画像データに文字列データを組み合わせる際の編集作業の負担を軽減できる。
【００１３】
また、操作手段で文字を入力することにより、画像データから読み取られた付加情報に対応する文字列データのうち、その入力された文字を含む文字列データを選択候補として表示画面に表示させることができる。これにより、文字をいくつか入力するだけで、所望の文字列データを選択候補として表示画面に表示させ、その選択候補を操作手段により選択することができるので、上記文字列データを一文字ずつ全て入力する作業と比較して、画像データに文字列データを組み合わせる際の編集作業の負担を効果的に軽減できる。
【００１４】
前記付加情報読取手段が、画像データに含まれる特徴情報を読み取る特徴情報読取手段と、読み取られた特徴情報に基づいて画像データの種別を前記付加情報として特定する付加情報特定手段とを備えていてもよい。
【００１５】
このような構成によれば、画像データに含まれる特徴情報を読み取り、その特徴情報に基づいて画像データの種別を特定し、その特定した種別を付加情報として、当該付加情報に対応する文字列データを表示画面に表示させることができる。これにより、画像データに含まれる特徴情報に基づいて、ユーザが所望する文字列データをより適切に表示させることができるので、画像データに文字列データを組み合わせる際の編集作業の負担をより効果的に軽減できる。
【００１６】
前記付加情報には、画像データに付加された文字情報、位置情報及び時間情報の少なくとも１つが含まれていてもよい。
【００１７】
このような構成によれば、画像データに付加された文字情報、位置情報及び時間情報の少なくとも１つを付加情報として、当該付加情報に対応する文字列データを表示画面に表示させることができる。これにより、画像データに付加された文字情報、位置情報及び時間情報の少なくとも１つに基づいて、ユーザが所望する文字列データをより適切に表示させることができるので、画像データに文字列データを組み合わせる際の編集作業の負担をより効果的に軽減できる。
【００１８】
本発明に係る編集画像データ作成方法は、画像データに含まれ得る複数の付加情報に、それぞれ文字列データを対応付けて記憶している文字列データ記憶手段を用いて、画像データに文字列データを組み合わせることにより編集画像データを作成するための編集画像データ作成方法であって、画像データから前記付加情報を読み取る付加情報読取ステップと、読み取られた前記付加情報に対応する文字列データを前記文字列データ記憶手段から読み出して、表示画面に表示させる文字列データ表示ステップとを含み、前記文字列データ表示ステップでは、文字入力及び選択操作を含む入力操作を行うための操作手段により文字が入力されたときに、前記付加情報読取ステップにより画像データから前記付加情報が読み取られている場合には、その付加情報に対応する文字列データのうち入力された文字を含む文字列データを前記文字列データ記憶手段から読み出して、前記操作手段による選択候補として前記表示画面に表示させることを特徴とする。
【００１９】
このような構成によれば、本発明に係る前記編集画像データ作成装置と同様の効果を奏する編集画像データ作成方法を提供することができる。
【図面の簡単な説明】
【００２０】
【図１】本発明の一実施形態に係る編集画像データ作成装置の一例である注文端末の構成例を示したブロック図である。
【図２】注文端末の制御部の構成例を示した機能ブロック図である。
【図３】表示部の表示画面における表示例を示した図である。
【図４】制御部による処理の一例を示したフローチャートである。
【図５】別の実施形態に係る注文端末の制御部の構成例を示した機能ブロック図である。
【発明を実施するための形態】
【００２１】
図１は、本発明の一実施形態に係る編集画像データ作成装置の一例である注文端末１の構成例を示したブロック図である。この注文端末１は、例えば写真店などの店舗に設置され、ユーザが持参した記憶媒体４から画像データを読み取り、写真プリントの注文を受け付けるためのものである。本実施形態では、画像データに文字列データを組み合わせることにより編集画像データを作成することができる編集画像データ作成装置の一例として、注文端末１について説明するが、これに限らず、例えばユーザの自宅などに設置されたユーザ端末のように、他の端末によって編集画像データ作成装置が構成されていてもよい。
【００２２】
記憶媒体４としては、例えばＳＤカード、ＵＳＢメモリ、ＣＤ−Ｒ、ＣＤ−ＲＷなどの各種メディアを用いることができる。ユーザは、デジタルカメラを用いた撮影などにより得られる１つ又は複数の画像データを記憶媒体４に記憶させ、当該記憶媒体４を店舗に持参して注文端末１に読み取らせることにより、写真プリントの注文を行うことができる。
【００２３】
注文端末１は、制御部１１、データ入力部１２、操作部１３、表示部１４及び文字列データ記憶部１５などを備えている。制御部１１は、ＣＰＵなどにより構成され、当該注文端末１の動作を制御する。データ入力部１２は、記憶媒体４からデータを入力するためのものであり、ＳＤカードスロット、ＵＳＢポート、ＣＤ−Ｒドライブ、ＣＤ−ＲＷドライブの他、例えば赤外線通信部といった非接触でデータを入力可能な手段など、他の各種手段により構成することができる。操作部１３は、例えばキーボードやマウスにより構成することができ、表示部１４は、例えば液晶表示器により構成することができる。ただし、タッチパネル式の表示部１４を採用することにより、当該表示部１４が操作部１３として機能するようになっていてもよい。文字列データ記憶部１５は、ＲＡＭ又はＲＯＭなどのメモリにより構成することができる。
【００２４】
ユーザは、記憶媒体４からデータ入力部１２を介して画像データを読み取らせた注文端末１の操作部１３を操作することにより、当該画像データを編集して編集画像データを作成することができる。そして、その作成された編集画像データが、注文端末１に接続された写真プリント装置２にプリント注文データとして送信され、この写真プリント装置２において、当該プリント注文データに基づく画像が記録紙にプリントされる。
【００２５】
文字列データ記憶部１５には、それぞれ複数の文字からなる文字列データが複数記憶されており、当該文字列データを画像データに組み合わせることにより編集画像データを作成することができるようになっている。この文字列データ記憶部１５に記憶されている複数の文字列データは、それぞれ画像データに含まれ得る複数の付加情報に対応付けて記憶されている。上記付加情報は、画像データに含まれ得る情報であれば如何なる情報であってもよく、例えば画像データから特定可能な当該画像データの種別に関する情報や、画像データに付加されている付加データ（いわゆるＥｘｉｆデータ）に基づく情報などであってもよい。
【００２６】
図２は、注文端末１の制御部１１の構成例を示した機能ブロック図である。この注文端末１の制御部１１は、コンピュータプログラムを実行することにより、付加情報読取部１１１及び表示処理部１１２などとして機能するようになっている。
【００２７】
付加情報読取部１１１は、データ入力部１２を介して入力された画像データから付加情報を読み取る付加情報読取手段であって、特徴情報読取部１１３及び付加情報特定部１１４として機能するようになっている。この例における注文端末１には、メモリにより構成される画像データ種別記憶部１６が備えられており、当該画像データ種別記憶部１６には、画像データに含まれ得る特徴情報と、そのような特徴情報を含む画像データの種別とが対応付けて記憶されている。
【００２８】
上記特徴情報と画像データの種別との関係は任意に設定することができるが、例えば画像データに含まれる白色領域の割合が所定の閾値を超えるという特徴情報には、その画像データの種別として「結婚」という種別を対応付けることができる。その他にも、例えば画像データの背景画像に基づく特徴情報（特定の色の割合など）や、画像データに含まれる顔画像に基づく特徴情報（顔画像の種類、数、配置など）といった各種特徴情報を、画像データの種別（「旅行」、「運動会」など）と対応付けて記憶することができる。画像データの種別は、１つの特徴情報に対して１つだけ対応付けられていてもよいし、複数対応付けられていてもよい。また、特徴情報は、１つの画像データの種別に対して１つだけ対応付けられていてもよいし、複数対応付けられていてもよい。
【００２９】
特徴情報読取部１１３は、入力された画像データに含まれる特徴情報を読み取る特徴情報読取手段であり、画像データ種別記憶部１６に記憶されている特徴情報が画像データに含まれているか否かを判別することにより特徴情報を読み取る。画像データに含まれる特徴情報を読み取るという技術は、周知の画像処理技術であるため、詳細な説明は省略する。
【００３０】
付加情報特定部１１４は、特徴情報読取部１１３により読み取られた特徴情報に基づいて画像データの種別を付加情報として特定する付加情報特定手段である。すなわち、読み取られた特徴情報に対応付けて画像データ種別記憶部１６に記憶されている画像データの種別が、付加情報として特定される。この付加情報を特定する処理は、例えば画像データの種別として「結婚」、「旅行」、「運動会」といった撮影時のシーンを判定しているという観点から、「シーン判定処理」と言い換えることも可能である。
【００３１】
表示処理部１１２は、表示部１４の表示画面に対する表示処理を行う。当該表示処理部１１２は、付加情報読取部１１１により画像データから付加情報が読み取られた場合に、その読み取られた付加情報に対応する文字列データを文字列データ記憶部１５から読み出して、表示部１４の表示画面に表示させる文字列データ表示手段として機能する。この例では、文字列データ記憶部１５には、画像データの種別に対応付けて文字列データが記憶されており、例えば「結婚」という画像データの種別には、「結婚」、「結婚式」、「結婚おめでとう」といった文字列データが対応付けられている。文字列データは、１つの画像データの種別に対して１つだけ対応付けられていてもよいし、複数対応付けられていてもよい。また、画像データの種別は、１つの文字列データに対して１つだけ対応付けられていてもよいし、複数対応付けられていてもよい。
【００３２】
図３は、表示部１４の表示画面１４１における表示例を示した図である。この例では、表示部１４の表示画面１４１にテンプレートの画像１４２が表示され、当該表示画面１４１上で、記憶媒体４から読み取られた画像データの中から所望の画像データを選択して、その画像データに基づく画像１４３をテンプレートの画像１４２と組み合せることにより、編集画像データを作成することができるようになっている。
【００３３】
この例では、操作部１３は、文字入力及び選択操作を含む入力操作を行うことができる操作手段を構成しており、当該操作部１３を用いて文字入力を行うことにより、表示画面１４１における所望の位置又は既定の位置に設定された文字入力領域１４４に、所望の文字を表示させることができる。当該文字入力は、かな入力、アルファベット入力、数字入力などの各種入力方法を用いて行うことができるが、図３の例では、かな入力により文字入力を行う場合について説明する。
【００３４】
操作部１３を用いて文字入力が行われた場合には、その入力された文字を含む文字データ及び文字列データが、選択候補１４５として表示画面１４１に表示される。より具体的には、その入力された文字から始まる文字データ及び文字列データが、選択候補１４５として表示画面１４１に表示されるようになっている。本実施形態において、「入力された文字を含む文字データ及び文字列データ」には、入力された文字そのものを含む文字データ及び文字列データだけでなく、入力された文字を読み仮名として含む漢字などの文字データ及び文字列データも含まれる。また、「入力された文字から始まる文字データ及び文字列データ」には、入力された文字そのものから始まる文字データ及び文字列データだけでなく、入力された文字を読み仮名として最初に含む漢字などの文字データ及び文字列データも含まれる。
【００３５】
選択候補１４５としての文字データ及び文字列データが表示画面１４１に表示される際、付加情報読取部１１１により画像データから付加情報が読み取られている場合には、その付加情報に対応する文字列データのうち入力された文字を含む文字列データ（この例では、入力された文字から始まる文字列データ）が文字列データ記憶部１５から読み出され、選択候補１４５として表示画面１４１に表示されるようになっている。
【００３６】
この図３の例では、画像データから読み取られた付加情報としての画像データの種別が「結婚」である場合が示されており、「け」という文字が文字入力領域１４４に入力されたことに伴い、「け」という文字から始まる文字列データ（読み仮名として最初に含む文字列データ）として、「結婚」、「結婚式」、「結婚おめでとう」といった文字列データが文字列データ記憶部１５から読み出され、選択候補１４５として表示画面１４１に表示されている。なお、２文字以上の文字入力が行われた場合には、その入力された複数の文字に応じて、表示画面１４１に表示される選択候補１４５が限定されるようになっていてもよい。
【００３７】
このように複数の選択候補１４５が表示画面１４１に表示された状態で、操作部１３によって選択操作を行うことにより、いずれか１つの選択候補１４５を選択し、その選択候補１４５に対応する文字データ又は文字列データを文字入力領域１４４に表示させることができる。
【００３８】
図３の例では、テンプレート上で画像データに文字列データを組み合せることにより、編集画像データを作成するような構成について説明したが、これに限らず、例えば画像データ上に文字列データを直接組み合せる（合成する）ような構成であってもよい。また、上記編集画像データは、１枚の写真プリントを作成するための編集画像データに限らず、例えば複数の画像データに基づいて複数枚の写真プリントを作成し、冊子状のアルバムとして提供するための編集画像データなどであってもよい。
【００３９】
図４は、制御部１１による処理の一例を示したフローチャートである。データ入力部１２を介して画像データが入力された場合には（ステップＳ１０１でＹｅｓ）、その画像データから付加情報が読み取られる（ステップＳ１０２）。
【００４０】
その後、操作部１３による文字入力があれば（ステップＳ１０３でＹｅｓ）、その入力された文字を含む文字列データ（例えば、入力された文字から始まる文字列データ）が文字列データ記憶部１５から読み出され、選択候補１４５として表示画面１４１に表示される（ステップＳ１０４）。そして、操作部１３による選択操作によって上記文字列データの選択候補１４５が選択された場合には（ステップＳ１０５でＹｅｓ）、その文字列データが文字入力領域１４４に表示される（ステップＳ１０６）。
【００４１】
このようにして操作部１３による文字入力が行われ、文字入力領域１４４に対する所望の文字列データの表示が完了した後、文字入力を終了するための操作が行われれば（ステップＳ１０７でＹｅｓ）、制御部１１による処理が終了する。
【００４２】
本実施形態では、画像データに文字列データを組み合わせることにより編集画像データを作成する際に、画像データから付加情報を読み取り、その付加情報に対応する文字列データを表示画面１４１に表示させることができる。これにより、文字列データを一文字ずつ入力する作業と比較して、画像データに文字列データを組み合わせる際の編集作業の負担を軽減できる。
【００４３】
また、操作部１３で文字を入力することにより、画像データから読み取られた付加情報に対応する文字列データのうち、その入力された文字を含む文字列データを選択候補１４５として表示画面１４１に表示させることができる。これにより、文字をいくつか入力するだけで、所望の文字列データを選択候補１４５として表示画面１４１に表示させ、その選択候補１４５を操作部１３により選択することができるので、上記文字列データを一文字ずつ全て入力する作業と比較して、画像データに文字列データを組み合わせる際の編集作業の負担を効果的に軽減できる。
【００４４】
特に、本実施形態では、画像データに含まれる特徴情報を読み取り、その特徴情報に基づいて画像データの種別を特定し、その特定した種別を付加情報として、当該付加情報に対応する文字列データを表示画面１４１に表示させることができる。これにより、画像データに含まれる特徴情報に基づいて、ユーザが所望する文字列データをより適切に表示させることができるので、画像データに文字列データを組み合わせる際の編集作業の負担をより効果的に軽減できる。
【００４５】
図５は、別の実施形態に係る注文端末１の制御部１１の構成例を示した機能ブロック図である。この注文端末１の制御部１１は、コンピュータプログラムを実行することにより、Ｅｘｉｆ情報読取部１１５及び表示処理部１１２などとして機能するようになっている。
【００４６】
Ｅｘｉｆ情報読取部１１５は、データ入力部１２を介して入力された画像データから付加情報を読み取る付加情報読取手段であって、本実施形態では、画像データに付加されている付加データとしてＥｘｉｆデータを読み取るようになっている。Ｅｘｉｆデータには、例えば文字情報、位置情報、時間情報などの各種情報が含まれている。文字情報は、例えばデジタルカメラを操作することにより各画像データに付加することができる。位置情報は、例えばＧＰＳを用いて撮影時に取得され、その撮影された画像データに付加されるようになっていてもよい。時間情報は、例えばデジタルカメラに内蔵されたタイマを用いて撮影時に取得され、その撮影された画像データに付加されるようになっていてもよい。
【００４７】
表示処理部１１２は、表示部１４の表示画面に対する表示処理を行う。当該表示処理部１１２は、Ｅｘｉｆ情報読取部１１５により読み取られた文字情報、位置情報及び時間情報の少なくとも１つに対応する文字列データを文字列データ記憶部１５から読み出して、表示部１４の表示画面に表示させる文字列データ表示手段として機能する。この例では、文字列データ記憶部１５には、文字情報に対応付けて文字列データが記憶されており、例えば「結婚」という文字情報には、「結婚」、「結婚式」、「結婚おめでとう」といった文字列データが対応付けられている。また、文字列データ記憶部１５には、位置情報に対応付けて文字列データが記憶されており、例えば「駅」に対応する位置情報には、「出発」、「到着」といった文字列データが対応付けられている。さらに、文字列データ記憶部１５には、時間情報に対応付けて文字列データが記憶されており、例えば「夜」に対応する時間情報には、「こんばんは」、「おやすみ」といった文字列データが対応付けられている。
【００４８】
文字列データ記憶部１５に記憶されている文字列データを用いた表示処理部１１２による処理は、図３において説明したのと同様であるため、詳細な説明は省略する。
【００４９】
本実施形態では、画像データに付加された文字情報、位置情報及び時間情報の少なくとも１つを付加情報として、当該付加情報に対応する文字列データを表示画面１４１に表示させることができる。これにより、画像データに付加された文字情報、位置情報及び時間情報の少なくとも１つに基づいて、ユーザが所望する文字列データをより適切に表示させることができるので、画像データに文字列データを組み合わせる際の編集作業の負担をより効果的に軽減できる。
【符号の説明】
【００５０】
１    注文端末
２    写真プリント装置
４    記憶媒体
１１    制御部
１２    データ入力部
１３    操作部
１４    表示部
１５    文字列データ記憶部
１６    画像データ種別記憶部
１１１    付加情報読取部
１１２    表示処理部
１１３    特徴情報読取部
１１４    付加情報特定部
１１５    Ｅｘｉｆ情報読取部
１４１    表示画面
１４５    選択候補
【図１】
2011203919.tif 000003
【図２】
2011203919.tif 000004
【図３】
2011203919.tif 000005
【図４】
2011203919.tif 000006
【図５】
2011203919.tif 000007